【手続補正書】
【提出日】平成16年1月16日(2004.1.16)
【手続補正１】
【補正対象書類名】明細書
【補正対象項目名】特許請求の範囲
【補正方法】変更
【補正の内容】
【特許請求の範囲】
【請求項１】
道路交通情報提供システムであって、
道路交通情報を無線による通信により提供する情報提供装置と、
前記情報提供装置から提供される道路交通情報を取得する情報取得手段と、道路交通情報提供センターが少なくともラジオ放送と光ビーコンと電波ビーコンのいずれかを利用して提供する道路交通情報を取得する道路交通情報取得手段と、前記情報取得手段および前記道路交通情報取得手段により取得した道路交通情報を表示装置に表示するよう制御する表示制御手段とを有するナビゲーション装置とを備え、
前記ナビゲーション装置は、前記情報取得手段により道路交通情報を取得するかどうかを判断する判断手段をさらに備え、
前記ナビゲーション装置の情報取得手段は、前記判断手段が前記情報取得手段により道路交通情報を取得すると判断すると、道路交通情報の要求に関する情報を前記情報提供装置へ送信し、
前記情報提供装置は、前記ナビゲーション装置の情報取得手段からの前記要求に関する情報の受信に応じて道路交通情報を前記ナビゲーション装置へ提供することを特徴とする道路交通情報提供システム。
【請求項２】
請求項１に記載の道路交通情報提供システムにおいて、
前記ナビゲーション装置の判断手段は、前記道路交通情報取得手段による所望の道路交通情報の取得が不可能な場合、前記情報取得手段により前記所望の道路交通情報を取得すると判断することを特徴とする道路交通情報提供システム。
【請求項３】
道路交通情報提供システムであって、
道路交通情報を無線による通信により提供する情報提供装置と、
前記情報提供装置から提供される道路交通情報を取得する情報取得手段と、道路交通情報提供センターが少なくともラジオ放送と光ビーコンと電波ビーコンのいずれかを利用して提供する道路交通情報を取得する道路交通情報取得手段と、取得した道路交通情報を表示装置に表示するよう制御する表示制御手段とを有するナビゲーション装置とを備え、
前記ナビゲーション装置は、経路探索を行う経路探索手段をさらに有し、
前記ナビゲーション装置の情報取得手段は、前記経路探索の結果得られた経路上の道路交通情報を取得するとき、前記経路上の道路交通情報の要求に関する情報を前記情報提供装置へ送信し、
前記情報提供装置は、前記ナビゲーション装置の情報取得手段からの前記要求に関する情報の受信に応じて前記経路上の道路交通情報を前記ナビゲーション装置へ提供し、
前記ナビゲーション装置の情報取得手段は、前記情報提供装置から提供される前記経路上の道路交通情報を取得することを特徴とする道路交通情報提供システム。
【請求項４】
請求項３に記載の道路交通情報提供システムにおいて、
前記ナビゲーション装置の情報取得手段は、前記情報提供装置から提供される前記経路上の道路交通情報を使用して、前記経路探索の結果得られた経路の全経路の道路交通情報を取得することを特徴とする道路交通情報提供システム。
【請求項５】
請求項３に記載の道路交通情報提供システムにおいて、
前記ナビゲーション装置の前記情報取得手段と前記道路交通情報取得手段により、前記経路探索の結果得られた経路の全経路の道路交通情報を取得することを特徴とする道路交通情報提供システム。
【請求項６】
道路交通情報提供システムであって、
道路交通情報を無線による通信により提供する情報提供装置と、
前記情報提供装置から提供される道路交通情報を取得する情報取得手段と、取得した道路交通情報を表示装置に表示するよう制御する表示制御手段とを有するナビゲーション装置とを備え、
前記ナビゲーション装置の情報取得手段は、車両の現在地から目的地までの道路交通情報の要求に関する情報を前記情報提供装置へ送信し、
前記情報提供装置は、前記ナビゲーション装置の情報取得手段からの前記要求に関する情報の受信に応じて前記車両の現在地から目的地までの道路交通情報を前記ナビゲーション装置へ提供し、
前記ナビゲーション装置の情報取得手段は、前記情報提供装置から提供される前記車両の現在地から目的地までの道路交通情報を取得することを特徴とする道路交通情報提供システム。
【請求項７】
道路交通情報提供システムであって、
道路交通情報を無線による通信により提供する情報提供装置と、
前記情報提供装置から提供される道路交通情報を取得する情報取得手段と、道路交通情報提供センターが少なくともラジオ放送と光ビーコンと電波ビーコンのいずれかを利用して提供する所定の範囲の道路交通情報を取得する道路交通情報取得手段と、前記情報取得手段および前記道路交通情報取得手段により取得した道路交通情報を表示装置に表示するよう制御する表示制御手段とを有するナビゲーション装置とを備え、
前記情報取得手段は、前記所定の範囲を超える範囲の道路交通情報の要求に関する情報を前記情報提供装置へ送信し、
前記情報提供装置は、前記ナビゲーション装置の情報取得手段からの前記要求に関する情報の受信に応じて前記所定の範囲を超える範囲の道路交通情報を前記ナビゲーション装置へ提供することを特徴とする道路交通情報提供システム。
【請求項８】
請求項１から７のいずれかに記載の道路交通情報提供システムにおいて、
前記情報提供装置は、実質的に全国範囲の道路交通情報を提供することを特徴とする道路交通情報提供システム。
【請求項９】
請求項１から８のいずれかに記載の道路交通情報提供システムにおいて、
前記無線による通信は、携帯電話システムがサポートするデータ通信であることを特徴とする道路交通情報提供システム。
【請求項１０】
ナビゲーション装置であって、
道路交通情報提供センターから少なくともラジオ放送と光ビーコンと電波ビーコンのいずれかを利用して提供される道路交通情報を取得する道路交通情報取得手段と、
情報提供装置から無線による通信により提供される道路交通情報を取得する情報取得手段と、
前記道路交通情報取得手段および前記情報取得手段により取得した道路交通情報を表示装置に表示するよう制御する表示制御手段と、
前記情報取得手段により道路交通情報を取得するかどうかを判断する判断手段とを備え、
前記情報取得手段は、前記判断手段が前記情報取得手段から道路交通情報を取得すると判断すると、道路交通情報の要求に関する情報を前記情報提供装置へ送信し、前記情報提供装置から前記要求に関する情報の受信に応じて提供される道路交通情報を取得することを特徴とするナビゲーション装置。
【請求項１１】
ナビゲーション装置であって、
道路交通情報提供センターから少なくともラジオ放送と光ビーコンと電波ビーコンのいずれかを利用して提供される道路交通情報を取得する道路交通情報取得手段と、
情報提供装置から無線による通信により提供される道路交通情報を取得する情報取得手段と、
前記道路交通情報取得手段および前記情報取得手段により取得した道路交通情報を表示装置に表示するよう制御する表示制御手段と、
経路探索を行う経路探索手段とを備え、
前記情報取得手段は、前記経路探索の結果得られた経路上の道路交通情報を取得するとき、前記経路上の道路交通情報の要求に関する情報を前記情報提供装置へ送信し、前記情報提供装置から前記要求に関する情報の受信に応じて提供される前記経路上の道路交通情報を取得することを特徴とするナビゲーション装置。
【請求項１２】
ナビゲーション装置であって、
情報提供装置から無線による通信により提供される道路交通情報を取得する情報取得手段と、
前記情報取得手段により取得した道路交通情報を表示装置に表示するよう制御する表示制御手段とを備え、
前記情報取得手段は、車両の現在地から目的地までの道路交通情報の要求に関する情報を前記情報提供装置へ送信し、前記情報提供装置から前記要求に関する情報の受信に応じて提供される前記車両の現在地から目的地までの道路交通情報を取得することを特徴とするナビゲーション装置。
【請求項１３】
ナビゲーション装置であって、
道路交通情報提供センターから少なくともラジオ放送と光ビーコンと電波ビーコンのいずれかを利用して提供される所定の範囲の道路交通情報を取得する道路交通情報取得手段と、
情報提供装置から無線による通信により提供される道路交通情報を取得する情報取得手段と、
前記道路交通情報取得手段および前記情報取得手段により取得した道路交通情報を表示装置に表示するよう制御する表示制御手段とを備え、
前記情報取得手段は、前記所定の範囲を超える範囲の道路交通情報の要求に関する情報を前記情報提供装置へ送信し、前記情報提供装置から前記要求に関する情報の受信に応じて提供される前記所定の範囲を超える範囲の道路交通情報を取得することを特徴とするナビゲーション装置。
【請求項１４】
情報提供装置であって、
道路交通情報提供センターから少なくともラジオ放送と光ビーコンと電波ビーコンのいずれかを利用して提供される道路交通情報を取得する道路交通情報取得手段と、情報提供装置から無線による通信により提供される道路交通情報を取得する情報取得手段と、前記道路交通情報取得手段および前記情報取得手段により取得した道路交通情報を表示装置に表示するよう制御する表示制御手段と、前記情報取得手段により道路交通情報を取得するかどうかを判断する判断手段とを備えたナビゲーション装置から、前記判断手段によって前記情報取得手段から道路交通情報を取得すると判断されることにより前記情報取得手段によって道路交通情報の要求に関する情報が送信されてくると、前記要求に関する情報の受信に応じて道路交通情報を提供することを特徴とする情報提供装置。
【請求項１５】
情報提供装置であって、
道路交通情報提供センターから少なくともラジオ放送と光ビーコンと電波ビーコンのいずれかを利用して提供される道路交通情報を取得する道路交通情報取得手段と、情報提供装置から無線による通信により提供される道路交通情報を取得する情報取得手段と、前記道路交通情報取得手段および前記情報取得手段により取得した道路交通情報を表示装置に表示するよう制御する表示制御手段と、経路探索を行う経路探索手段とを備えたナビゲーション装置から、前記経路探索の結果得られた経路上の道路交通情報を取得するときに前記情報取得手段によって前記経路上の道路交通情報の要求に関する情報が送信されてくると、前記要求に関する情報の受信に応じて道路交通情報を提供することを特徴とする情報提供装置。
【請求項１６】
情報提供装置であって、
情報提供装置から無線による通信により提供される道路交通情報を取得する情報取得手段と、前記情報取得手段により取得した道路交通情報を表示装置に表示するよう制御する表示制御手段とを備えたナビゲーション装置から、前記情報取得手段によって車両の現在地から目的地までの道路交通情報の要求に関する情報が送信されてくると、前記要求に関する情報の受信に応じて前記車両の現在地から目的地までの道路交通情報を提供することを特徴とする情報提供装置。
【請求項１７】
情報提供装置であって、
道路交通情報提供センターから少なくともラジオ放送と光ビーコンと電波ビーコンのいずれかを利用して提供される所定の範囲の道路交通情報を取得する道路交通情報取得手段と、情報提供装置から無線による通信により提供される道路交通情報を取得する情報取得手段と、前記道路交通情報取得手段および前記情報取得手段により取得した道路交通情報を表示装置に表示するよう制御する表示制御手段とを備えたナビゲーション装置から、前記情報取得手段によって前記所定の範囲を超える範囲の道路交通情報の要求に関する情報を前記情報提供装置へ送信されてくると、前記要求に関する情報の受信に応じて前記所定の範囲を超える範囲の道路交通情報を提供することを特徴とする情報提供装置。
【手続補正２】
【補正対象書類名】明細書
【補正対象項目名】０００７
【補正方法】変更
【補正の内容】
【０００７】
【課題を解決するための手段】
請求項１の発明は、道路交通情報提供システムに適用され、道路交通情報を無線による通信により提供する情報提供装置と、情報提供装置から提供される道路交通情報を取得する情報取得手段と、道路交通情報提供センターが少なくともラジオ放送と光ビーコンと電波ビーコンのいずれかを利用して提供する道路交通情報を取得する道路交通情報取得手段と、情報取得手段および道路交通情報取得手段により取得した道路交通情報を表示装置に表示するよう制御する表示制御手段とを有するナビゲーション装置とを備え、ナビゲーション装置は、情報取得手段により道路交通情報を取得するかどうかを判断する判断手段をさらに備え、ナビゲーション装置の情報取得手段は、判断手段が情報取得手段により道路交通情報を取得すると判断すると、道路交通情報の要求に関する情報を情報提供装置へ送信し、情報提供装置は、ナビゲーション装置の情報取得手段からの要求に関する情報の受信に応じて道路交通情報をナビゲーション装置へ提供することを特徴とするものである。
請求項２の発明は、請求項１に記載の道路交通情報提供システムにおいて、ナビゲーション装置の判断手段は、道路交通情報取得手段による所望の道路交通情報の取得が不可能な場合、情報取得手段により所望の道路交通情報を取得すると判断することを特徴とするものである。
請求項３の発明は、道路交通情報提供システムに適用され、道路交通情報を無線による通信により提供する情報提供装置と、情報提供装置から提供される道路交通情報を取得する情報取得手段と、道路交通情報提供センターが少なくともラジオ放送と光ビーコンと電波ビーコンのいずれかを利用して提供する道路交通情報を取得する道路交通情報取得手段と、取得した道路交通情報を表示装置に表示するよう制御する表示制御手段とを有するナビゲーション装置とを備え、ナビゲーション装置は、経路探索を行う経路探索手段をさらに有し、ナビゲーション装置の情報取得手段は、経路探索の結果得られた経路上の道路交通情報を取得するとき、経路上の道路交通情報の要求に関する情報を情報提供装置へ送信し、情報提供装置は、ナビゲーション装置の情報取得手段からの要求に関する情報の受信に応じて経路上の道路交通情報をナビゲーション装置へ提供し、ナビゲーション装置の情報取得手段は、情報提供装置から提供される経路上の道路交通情報を取得することを特徴とするものである。
請求項４の発明は、請求項３に記載の道路交通情報提供システムにおいて、ナビゲーション装置の情報取得手段は、情報提供装置から提供される経路上の道路交通情報を使用して、経路探索の結果得られた経路の全経路の道路交通情報を取得することを特徴とするものである。
請求項５の発明は、請求項３に記載の道路交通情報提供システムにおいて、ナビゲーション装置の情報取得手段と道路交通情報取得手段により、経路探索の結果得られた経路の全経路の道路交通情報を取得することを特徴とするものである。
請求項６の発明は、道路交通情報提供システムに適用され、道路交通情報を無線による通信により提供する情報提供装置と、情報提供装置から提供される道路交通情報を取得する情報取得手段と、取得した道路交通情報を表示装置に表示するよう制御する表示制御手段とを有するナビゲーション装置とを備え、ナビゲーション装置の情報取得手段は、車両の現在地から目的地までの道路交通情報の要求に関する情報を情報提供装置へ送信し、情報提供装置は、ナビゲーション装置の情報取得手段からの要求に関する情報の受信に応じて車両の現在地から目的地までの道路交通情報をナビゲーション装置へ提供し、ナビゲーション装置の情報取得手段は、情報提供装置から提供される車両の現在地から目的地までの道路交通情報を取得することを特徴とするものである。
請求項７の発明は、道路交通情報提供システムに適用され、道路交通情報を無線による通信により提供する情報提供装置と、情報提供装置から提供される道路交通情報を取得する情報取得手段と、道路交通情報提供センターが少なくともラジオ放送と光ビーコンと電波ビーコンのいずれかを利用して提供する所定の範囲の道路交通情報を取得する道路交通情報取得手段と、情報取得手段および道路交通情報取得手段により取得した道路交通情報を表示装置に表示するよう制御する表示制御手段とを有するナビゲーション装置とを備え、情報取得手段は、所定の範囲を超える範囲の道路交通情報の要求に関する情報を情報提供装置へ送信し、情報提供装置は、ナビゲーション装置の情報取得手段からの要求に関する情報の受信に応じて所定の範囲を超える範囲の道路交通情報をナビゲーション装置へ提供することを特徴とするものである。
請求項８の発明は、請求項１から７のいずれかに記載の道路交通情報提供システムにおいて、情報提供装置は、実質的に全国範囲の道路交通情報を提供することを特徴とするものである。
請求項９の発明は、請求項１から８のいずれかに記載の道路交通情報提供システムにおいて、無線による通信は、携帯電話システムがサポートするデータ通信であることを特徴とするものである。
請求項１０の発明は、ナビゲーション装置に適用され、道路交通情報提供センターから少なくともラジオ放送と光ビーコンと電波ビーコンのいずれかを利用して提供される道路交通情報を取得する道路交通情報取得手段と、情報提供装置から無線による通信により提供される道路交通情報を取得する情報取得手段と、道路交通情報取得手段および情報取得手段により取得した道路交通情報を表示装置に表示するよう制御する表示制御手段と、情報取得手段により道路交通情報を取得するかどうかを判断する判断手段とを備え、情報取得手段は、判断手段が情報取得手段から道路交通情報を取得すると判断すると、道路交通情報の要求に関する情報を情報提供装置へ送信し、情報提供装置から要求に関する情報の受信に応じて提供される道路交通情報を取得することを特徴とするものである。
請求項１１の発明は、ナビゲーション装置に適用され、道路交通情報提供センターから少なくともラジオ放送と光ビーコンと電波ビーコンのいずれかを利用して提供される道路交通情報を取得する道路交通情報取得手段と、情報提供装置から無線による通信により提供される道路交通情報を取得する情報取得手段と、道路交通情報取得手段および情報取得手段により取得した道路交通情報を表示装置に表示するよう制御する表示制御手段と、経路探索を行う経路探索手段とを備え、情報取得手段は、経路探索の結果得られた経路上の道路交通情報を取得するとき、経路上の道路交通情報の要求に関する情報を情報提供装置へ送信し、情報提供装置から要求に関する情報の受信に応じて提供される経路上の道路交通情報を取得することを特徴とするものである。
請求項１２の発明は、ナビゲーション装置に適用され、情報提供装置から無線による通信により提供される道路交通情報を取得する情報取得手段と、情報取得手段により取得した道路交通情報を表示装置に表示するよう制御する表示制御手段とを備え、情報取得手段は、車両の現在地から目的地までの道路交通情報の要求に関する情報を情報提供装置へ送信し、情報提供装置から要求に関する情報の受信に応じて提供される車両の現在地から目的地までの道路交通情報を取得することを特徴とするものである。
請求項１３の発明は、ナビゲーション装置に適用され、道路交通情報提供センターから少なくともラジオ放送と光ビーコンと電波ビーコンのいずれかを利用して提供される所定の範囲の道路交通情報を取得する道路交通情報取得手段と、情報提供装置から無線による通信により提供される道路交通情報を取得する情報取得手段と、道路交通情報取得手段および情報取得手段により取得した道路交通情報を表示装置に表示するよう制御する表示制御手段とを備え、情報取得手段は、所定の範囲を超える範囲の道路交通情報の要求に関する情報を情報提供装置へ送信し、情報提供装置から要求に関する情報の受信に応じて提供される所定の範囲を超える範囲の道路交通情報を取得することを特徴とするものである。
請求項１４の発明は、情報提供装置に適用され、道路交通情報提供センターから少なくともラジオ放送と光ビーコンと電波ビーコンのいずれかを利用して提供される道路交通情報を取得する道路交通情報取得手段と、情報提供装置から無線による通信により提供される道路交通情報を取得する情報取得手段と、道路交通情報取得手段および情報取得手段により取得した道路交通情報を表示装置に表示するよう制御する表示制御手段と、情報取得手段により道路交通情報を取得するかどうかを判断する判断手段とを備えたナビゲーション装置から、判断手段によって情報取得手段から道路交通情報を取得すると判断されることにより情報取得手段によって道路交通情報の要求に関する情報が送信されてくると、要求に関する情報の受信に応じて道路交通情報を提供することを特徴とするものである。
請求項１５の発明は、情報提供装置に適用され、道路交通情報提供センターから少なくともラジオ放送と光ビーコンと電波ビーコンのいずれかを利用して提供される道路交通情報を取得する道路交通情報取得手段と、情報提供装置から無線による通信により提供される道路交通情報を取得する情報取得手段と、道路交通情報取得手段および情報取得手段により取得した道路交通情報を表示装置に表示するよう制御する表示制御手段と、経路探索を行う経路探索手段とを備えたナビゲーション装置から、経路探索の結果得られた経路上の道路交通情報を取得するときに情報取得手段によって経路上の道路交通情報の要求に関する情報が送信されてくると、要求に関する情報の受信に応じて道路交通情報を提供することを特徴とするものである。
請求項１６の発明は、情報提供装置に適用され、情報提供装置から無線による通信により提供される道路交通情報を取得する情報取得手段と、情報取得手段により取得した道路交通情報を表示装置に表示するよう制御する表示制御手段とを備えたナビゲーション装置から、情報取得手段によって車両の現在地から目的地までの道路交通情報の要求に関する情報が送信されてくると、要求に関する情報の受信に応じて車両の現在地から目的地までの道路交通情報を提供することを特徴とするものである。
請求項１７の発明は、情報提供装置に適用され、道路交通情報提供センターから少なくともラジオ放送と光ビーコンと電波ビーコンのいずれかを利用して提供される所定の範囲の道路交通情報を取得する道路交通情報取得手段と、情報提供装置から無線による通信により提供される道路交通情報を取得する情報取得手段と、道路交通情報取得手段および情報取得手段により取得した道路交通情報を表示装置に表示するよう制御する表示制御手段とを備えたナビゲーション装置から、情報取得手段によって所定の範囲を超える範囲の道路交通情報の要求に関する情報を情報提供装置へ送信されてくると、要求に関する情報の受信に応じて所定の範囲を超える範囲の道路交通情報を提供することを特徴とするものである。